(57)【要約】【課題】以前に圏内から圏外に遷移した位置と時刻とを利用者に通知する仕組みを有する携帯端末を提供する。【解決手段】通信可能な圏内から通信不可能な圏外に遷移したことを圏外検出部１１１にて検出した際に、現在位置を取得する位置情報取得装置１３にて圏外に遷移した位置を圏外遷移位置として取得し、かつ、現在時刻を計時する時計部１２にて圏外に遷移した時刻を圏外遷移時刻として取得して、データ記憶部１６に記憶し、しかる後、利用者から操作部１４を介して、表示要求があった際に、データ記憶部１６に記憶した圏外遷移位置および圏外遷移時刻を表示部１５に表示する。位置情報取得装置１３により取得した現在位置とデータ記憶部１６に記憶した圏外遷移位置とに基づいて、現在位置から見た圏外遷移位置の方角および現在位置と圏外遷移位置との間の距離を算出して、圏外遷移位置とともにあるいは圏外遷移位置の代わりに表示部１５に表示する。【選択図】        図１
2009218777.tif 000002
【特許請求の範囲】
【請求項１】
通信可能な圏内から通信不可能な圏外に遷移したことを検出する圏外検出部と現在時刻を計時する時計部と現在位置を取得する位置情報取得装置とを少なくとも備えた携帯端末において、前記圏外検出部にて通信可能な圏内から通信不可能な圏外に遷移したことを検出する際に、圏外に遷移した位置を圏外遷移位置として前記位置情報取得装置により取得し、かつ、圏外に遷移した時刻を圏外遷移時刻として前記時計部により取得し、かつ、取得した前記圏外遷移位置および前記圏外遷移時刻をデータ記憶部に記憶し、しかる後、利用者から表示要求があった際に、前記データ記憶部に記憶した前記圏外遷移位置および前記圏外遷移時刻を表示部に表示することを特徴とする携帯端末。
【請求項２】
前記位置情報取得装置により取得した現在位置と前記データ記憶部に記憶した前記圏外遷移位置とに基づいて、現在位置から見た前記圏外遷移位置の方角および現在位置と前記圏外遷移位置との間の距離を算出して、前記圏外遷移位置とともにあるいは前記圏外遷移位置の代わりに前記表示部に表示することを特徴とする請求項１に記載の携帯端末。
【請求項３】
現在位置から見た前記圏外遷移位置の方角を矢印にて前記表示部に表示することを特徴とする請求項２に記載の携帯端末。
【請求項４】
前記時計部により取得した現在時刻と前記データ記憶部に記憶した前記圏外遷移時刻との差分の時間を求め、前記圏外遷移時刻とともにあるいは前記圏外遷移時刻の代わりに前記表示部に表示することを特徴とする請求項１ないし３のいずれかに記載の携帯端末。
【請求項５】
当該携帯端末が、携帯電話機、ＰＨＳ端末、携帯情報端末、携帯音楽プレーヤ、ノートＰＣのいずれかであることを特徴とする請求項１ないし４のいずれかに記載の携帯端末。
【請求項６】
通信可能な圏内から通信不可能な圏外に遷移したことを検出して利用者に通知する携帯端末における圏外遷移情報通知方法であって、通信可能な圏内から通信不可能な圏外に遷移したことを検出する際に、圏外に遷移した位置を示す圏外遷移位置と圏外に遷移した時刻を示す圏外遷移時刻とを記憶し、しかる後、利用者から表示要求があった際に、記憶した前記圏外遷移位置および前記圏外遷移時刻を画面表示することを特徴とする圏外遷移情報通知方法。
【請求項７】
現在位置と記憶した前記圏外遷移位置とに基づいて、現在位置から見た前記圏外遷移位置の方角および現在位置と前記圏外遷移位置との間の距離を算出して、前記圏外遷移位置とともにあるいは前記圏外遷移位置の代わりに画面表示することを特徴とする請求項６に記載の圏外遷移情報通知方法。
【請求項８】
現在位置から見た前記圏外遷移位置の方角を矢印にて画面表示することを特徴とする請求項７に記載の圏外遷移情報通知方法。
【請求項９】
現在時刻と記憶した前記圏外遷移時刻との差分の時間を求め、前記圏外遷移時刻とともにあるいは前記圏外遷移時刻の代わりに画面表示することを特徴とする請求項６ないし８のいずれかに記載の圏外遷移情報通知方法。
【請求項１０】
請求項６ないし９のいずれかに記載の圏外遷移情報通知方法をコンピュータによって実行可能なプログラムとして実施することを特徴とする圏外遷移情報通知プログラム。
【請求項１１】
請求項１０に記載の圏外遷移情報通知プログラムをコンピュータによって読み取り可能な記録媒体に記録していることを特徴とするプログラム記録媒体。
【発明の詳細な説明】
【技術分野】
【０００１】
本発明は、携帯端末、圏外遷移情報通知方法、圏外遷移情報通知プログラムおよびプログラム記録媒体に関する。特に、アウトドアにおいて遭難などの状況からの脱出用の情報提供ツールとして好適に適用することができる。
【背景技術】
【０００２】
近年、携帯電話機等の携帯端末は、情報伝達手段のみならず各種の情報取得・提供手段として、種々の機能拡充が図られており、例えば、ＧＰＳ（Global  Positioning  System）による測位機能も代表的な機能の一つとなってきている。
【０００３】
携帯電話機に搭載されている該ＧＰＳ機能を利用したサービスの一つとして、特許文献１の特開２００７−２５１８４０号公報「移動端末装置」がある。該特許文献１においては、利用者が通常利用する場所のうち例えば病院、劇場、空港などユーザ自身が携帯端末の電源をオフにする場所や病院などのように強制的に電波を抑止する場所などをあらかじめ習慣情報として登録しておくことにより、通信可能な状態から通信不可能な状態への移行を予知して、所定の事前処理を前以て実施する機能を提供しようとしている。
【０００４】
一方、ハイキングやスキーなどのアウトドアのレジャーやスポーツを行っている際に、雨や霧、雪などの悪天候で視界が悪くなり、遭難する事故が、毎年、発生している。これらの遭難事故の中には、僅かな位置の違いで、通信不可能な領域になっていて、携帯電話機が使えない状況に陥ってしまい、連絡手段がないために、遭難の事実を伝えることができず、生命の危機に晒される場合も発生している。
【０００５】
どの位の時間を掛けたら、携帯電話機の圏内になっている前に居た通信可能位置に戻ることができるか、また、該通信可能位置はどの方向にあるかが分かれば、移動する方向の目安となり、連絡を取ることができる可能性が高まり、危機から脱出する手助けが得られる。しかし、既存の携帯端末には、かくのごとき遭難事故防止用の機能を備えたものは存在していない。
【特許文献１】特開２００７−２５１８４０号公報（第５−６頁）
【発明の開示】
【発明が解決しようとする課題】
【０００６】
以上のように、従来の携帯電話機などの携帯端末には、遭難事故防止用の機能を備えたものはなく、例えば、通信不可能な圏外に遷移した時刻を表示する機能もないし、どの位またどの方向に移動すれば、通信可能な圏内に戻ることができ、携帯電話機などの携帯端末を再び利用することが可能になるのかということを、利用者は把握することができなかった。
【０００７】
本発明は、かかる事情に鑑みてなされたものであり、携帯端末の電波が届かない通信不可能な圏外に遷移した際に、その位置とその時刻とを、圏外遷移位置、圏外遷移時刻として記憶し、しかる後、利用者の操作による表示要求があった際に、記憶した圏外遷移位置、圏外遷移時刻を表示することにより、以前に圏内から圏外に遷移した位置と時刻とを利用者に通知して、通信可能となる位置を容易に把握することができる仕組みを有する携帯端末、圏外遷移情報通知方法、圏外遷移情報通知プログラムおよびプログラム記録媒体を提供することを、その目的としている。
【課題を解決するための手段】
【０００８】
前述の課題を解決するため、本発明による携帯端末、圏外遷移情報通知方法、圏外遷移情報通知プログラムおよびプログラム記録媒体は、次のような特徴的な構成を採用している。
【０００９】
（１）通信可能な圏内から通信不可能な圏外に遷移したことを検出する圏外検出部と現在時刻を計時する時計部と現在位置を取得する位置情報取得装置とを少なくとも備えた携帯端末において、前記圏外検出部にて通信可能な圏内から通信不可能な圏外に遷移したことを検出する際に、圏外に遷移した位置を圏外遷移位置として前記位置情報取得装置により取得し、かつ、圏外に遷移した時刻を圏外遷移時刻として前記時計部により取得し、かつ、取得した前記圏外遷移位置および前記圏外遷移時刻をデータ記憶部に記憶し、しかる後、利用者から表示要求があった際に、前記データ記憶部に記憶した前記圏外遷移位置および前記圏外遷移時刻を表示部に表示する携帯端末。
【発明の効果】
【００１０】
本発明の携帯端末、圏外遷移情報通知方法、圏外遷移情報通知プログラムおよびプログラム記録媒体によれば、携帯端末の電波が届かない通信不可能な圏外に遷移した際に、その位置とその時刻とを、圏外遷移位置、圏外遷移時刻として記憶し、しかる後、利用者の操作に応じて、記憶した圏外遷移位置、圏外遷移時刻を表示する仕組みを備えているので、以下のような効果を得ることができる。 
【００１１】
利用者が、これから、どの方向へ、どの位の距離、どの位の時間移動すれば、圏内から圏外に遷移した以前の地点に戻って、再び、通信可能な圏内に戻ることが可能であるかを容易に把握することができる。
【００１２】
つまり、携帯端末の利用者の操作によって、通信可能な圏内から通信不可能な圏外に遷移した圏外遷移位置、圏外遷移時刻を画面表示することができるので、当該利用者は、画面表示された圏内から圏外に移動した位置、時刻に基づいて、どの方向に、どの程度の距離まで、どの位の時間を掛けて移動すれば、以前に通過した通信可能な圏内の場所まで戻ることができるかということを判断することができる。
【００１３】
さらには、現在位置や現在時刻と圏外遷移位置や圏外遷移時刻との差分を、常時あるいはあらかじめ定めた周期ごとに、表示することも可能であり、以前に通過した通信可能な圏内の場所まで戻るまでの移動中の間も、どの方向に、どの程度の距離まで、どの位の時間を掛けて移動すれば辿り着くことができるのかという情報を、常時あるいは或る周期ごとに、利用者に通知することも可能となる。
【発明を実施するための最良の形態】
【００１４】
以下、本発明による携帯端末、圏外遷移情報通知方法、圏外遷移情報通知プログラムおよびプログラム記録媒体の好適な実施形態について添付図を参照して説明する。なお、以下の説明においては、本発明による携帯端末、圏外遷移情報通知方法について説明するが、かかる圏外遷移情報通知方法をコンピュータにより実行可能な圏外遷移情報通知プログラムとして実施するようにしても良いし、あるいは、圏外遷移情報通知プログラムをコンピュータにより読み取り可能な記録媒体に記録するようにしても良いことは言うまでもない。
【００１５】
（本発明の特徴）
本発明の実施形態の説明に先立って、本発明の特徴についてその概要をまず説明する。本発明は、携帯電話機などの携帯端末が電波の届かない状態に遷移した場所と時刻つまり通信不可能な圏外に移動した際の位置とその時刻とを、圏外遷移位置、圏外遷移時刻として記憶し、しかる後で、利用者の操作に応じて、記憶した圏外遷移位置、圏外遷移時刻を画面表示することを主要な特徴としており、該表示内容を見た利用者は、現在の時刻から、どの位の時間、どの位の距離、どの方向に移動すれば、携帯端末の通信可能な圏内に移動して、携帯端末が利用可能なエリアに入ることができるかということを当該利用者が認識することができる。
【００１６】
（本発明の実施形態の構成）
次に、本発明の実施形態の構成の一例について、図１を用いて説明する。図１は、本発明による携帯端末の構成の一例を示すブロック構成図である。図１に示す携帯端末は、電波を送受信する無線部１１と、時刻を計時する時計部１２と、現在位置を取得する位置情報取得装置１３と、利用者が操作する操作部１４と、各種情報を画面表示する表示部１５と、圏外遷移情報１６１など各種データを記憶するデータ記憶部１６と、圏外遷移情報通知プログラム１７１など各種のプログラムを記憶しているプログラム記憶部１７と、プログラム記憶部１７に記憶されている各種プログラムを実行させることによって携帯端末の全体の動作を制御するＣＰＵ１８と、を少なくとも含んで構成される。
【００１７】
無線部１１は、さらに、当該携帯端末の電波が届かない通信不可能な圏外に存在しているか否かを検出する圏外検出部１１１を備えている。また、データ記憶部１６に記憶される圏外遷移情報１６１は、当該携帯端末が通信不可能な圏外に遷移した際のその位置とその時刻とを圏外遷移位置、圏外遷移時刻として登録している。
【００１８】
図２に、データ記憶部１６に記憶される圏外遷移情報１６１の一例を示している。つまり、圏外遷移情報１６１としては、図２に示すように、当該携帯端末が通信不可能な圏外に遷移した際の位置を示す圏外遷移位置１６１ａとその遷移時刻を示す圏外遷移時刻１６１ｂとを対応付けて登録している。例えば、圏外遷移位置１６１ａとして、当該携帯端末が通信不可能な圏外に遷移した際の位置を、緯度・経度情報として登録し、圏外遷移時刻１６１ｂとして、当該携帯端末が通信不可能な圏外に遷移した際の時刻を、年／月／日情報および時分秒情報として登録する。
【００１９】
また、プログラム記憶部１７の圏外遷移情報通知プログラム１７１は、当該携帯端末の利用者の操作部１４の操作内容に応じて起動され、当該移動端末が通信可能な圏内から通信不可能な圏外に遷移したことを圏外検出部１１１にて検知した際に、位置情報取得装置１３により取得した現在位置と時計部１２により計時している現在時刻とを圏外遷移情報１６１としてデータ記憶部１６に記憶する。
【００２０】
しかる後、当該携帯端末の利用者の操作部１４の操作により圏外遷移情報１６１の表示部１５への画面表示要求がなされた場合、データ記憶部１６に記憶された圏外遷移情報１６１を読み出して、表示部１５に画面表示することによって、圏外遷移位置、圏外遷移時刻、つまり、当該携帯端末が通信不可能な圏外に遷移した際のその位置とその時刻とを、利用者に通知する。
【００２１】
なお、図１の構成を有する携帯端末は、携帯可能な情報端末であれば、如何なる種類のものであっても良く、例えば、携帯電話機であっても良いし、ＰＨＳ（Personal  Handy-phone  System）端末であっても良いし、携帯情報端末ＰＤＡ（Personal  Digital  Assistants）であっても良いし、携帯音楽プレーヤであっても良いし、あるいは、ノートＰＣ（Personal  Computer）であっても良い。
【００２２】
（本発明の実施形態の動作の説明）
次に、図１に示した携帯端末の動作の一例について、図３のフローチャートおよび図４の適用イメージ図を参照しながら、説明する。図３は、本発明の携帯端末の動作の一例を説明するためのフローチャートであり、図３（Ａ）は、携帯端末が通信可能な圏内から通信不可能な圏外へ遷移した際の圏外遷移位置、圏外遷移時刻を圏外遷移情報１６１としてデータ記憶部１６に登録する動作を説明するフローチャートであり、図３（Ｂ）は、利用者から圏外遷移情報１６１の表示要求を受け取った際に表示部１５へ画面表示する動作を説明するフローチャートである。
【００２３】
また、図４は、本発明の携帯端末を利用する状況のイメージを説明する適用イメージ図であり、図３のフローチャートを説明するための具体的なイメージとして、登山中の利用者が携帯している携帯端末が圏内・圏外を遷移する様子を例示している。図４に示す例では、携帯端末と通信可能な電波を発射している基地局２１，２２は、山麓にのみ設定されていて、山頂付近は、基地局２１，２２からの電波が届かない通信不可能な圏外エリア２３となっている例を示している。
【００２４】
利用者が、操作部１４を操作して、プログラム記憶部１７の圏外遷移情報通知プログラムを起動すると、図３（Ａ）のフローチャートが起動される。まず、圏外検出部１１１にて、現在の地点が、携帯端末が通信可能な圏内から圏外に遷移した地点であるか否かが常時あるいはあらかじめ定めた周期で監視される状態になり（ステップＳ３１）、ここで、図４に示す地点２４の位置Ａを通過すると、圏内から圏外に遷移したことが圏外検出部１１１にて検知されて（ステップＳ３１のＹＥＳ）、時計部１２の現在時刻を読み取ることによって、圏内から圏外に遷移した時点の時刻つまり圏外遷移時刻Ｔ１を取得する（ステップＳ３２）。
【００２５】
さらに、ＧＰＳなどからなる位置情報取得装置１３にて現在の位置情報を読み取ることによって、圏内から圏外に遷移した位置つまり圏外遷移位置Ｐ１を取得する（ステップＳ３３）。しかる後、取得した圏外遷移時刻Ｔ１および圏外遷移位置Ｐ１を、圏外遷移情報１６１としてデータ記憶部１６に記録する（ステップＳ３４）。かくのごとき動作を、圏外から圏内に戻ってから、また、圏内から圏外に遷移する都度、繰り返し実施することになる。
【００２６】
しかる後、図４に示すように、時刻Ｔ２に達して、携帯端末の利用者が、山頂の圏外エリア２３内の位置Ｂまで移動した地点２５において、例えば道に迷ったことを自覚した場合、携帯している携帯端末で、道を尋ねるために何らかの連絡を取ろうとした際に、通信不可能な圏外にあって、連絡を取ることができないということを認識する。携帯端末による通信が不可能なことを認識した利用者は、操作部１４を操作して、データ記憶部１６に登録されている圏外遷移情報１６１を表示部１５に画面表示する表示要求を入力すると、図３（Ｂ）のフローチャートが起動される。
【００２７】
図３（Ｂ）において、まず、利用者からの表示要求があるか否かが確認され（ステップＳ３５）、操作部１４から利用者の表示要求が入力されていることを判別すると（ステップＳ３５のＹＥＳ）、データ記憶部１６に登録されている圏外遷移情報１６１を読み込む（ステップＳ３６）。しかる後、読み込んだ圏外遷移情報１６１の圏外遷移位置Ａ，圏外遷移時刻Ｔ１を表示部１５に画面表示する（ステップＳ３７）。
【００２８】
ここで、画面表示された圏外遷移位置Ａは、図２に示すように、図４において圏内から圏外に遷移した直後の地点２４の緯度経度情報であり、現在の地点２５の位置Ｂの緯度経度情報と比較することにより、いずれの方向に、どの程度離れた位置まで戻れば、携帯端末が通信可能な圏内になって、連絡を取ることができるかを把握することができる。また、画面表示された圏外遷移時刻Ｔ１は、図２に示すように、図４において圏内から圏外に遷移した直後の地点２４を通過した年／月／日、時分秒の時刻情報であり、現在時刻と比較することにより、地点２４から現在の地点２５まで来た経過時間を知ることができるので、逆に、現在の地点２５から、携帯端末が通信可能な圏内になって連絡を取ることができる地点２４まで戻るために要する凡その時間を把握することができる。
【００２９】
なお、前述の説明においては、表示部１５に圏外遷移情報１６１として圏外遷移位置Ａおよび圏外遷移時刻Ｔ１そのものが画面表示される例を説明したが、本発明は、かかる場合に限るものではない。例えば、地点２４を示す圏外遷移位置Ａの緯度経度情報と現在の地点２５の位置Ｂの緯度経度情報との演算を行い、地点２５から見た地点２４の方角、さらには、地点２５、地点２４の両地点間の距離を、圏外遷移位置Ａとともに、あるいは、圏外遷移位置Ａの代わりに、表示部１５に画面表示するようにしても良い。
【００３０】
また、地点２４を通過した時刻を示す圏外遷移時刻Ｔ１と現在の地点２５の位置Ｂに達した現在時刻との差分を求める演算を行い、地点２４から地点２５までに要した時間情報を、圏外遷移時刻Ｔ１とともに、あるいは、圏外遷移時刻Ｔ１の代わりに、表示部１５に画面表示するようにしても良い。
【００３１】
さらには、地点２５から見た地点２４の方角を示すのみならず、利用者の移動に応じて、地点２４の方角へ戻ることを誘導するように、圏外遷移位置Ａの緯度経度情報と現時点の緯度経度情報とから、絶えず、あるいは、あらかじめ定めた周期ごとに、現時点における地点２４の方角を求めて、表示部１５に矢印などによって案内表示を行うようにし、以前に圏内から圏外に遷移した地点２４への移動を誘導するようにしても良い。
【００３２】
利用者の移動に応じて、絶えず、あるいは、あらかじめ定めた周期ごとに、地点２４の方角を矢印表示する際に、さらに、地点２４の圏外遷移位置Ａと現在の位置とから、両地点間の距離を算出して表示部１５に画面表示するようにしても良いし、さらには、地点２４から地点２５までに要した時間情報と地点２４、地点２５の両地点間の距離と地点２４、現在の位置の両地点間の距離とを用いて、現在の位置から地点２４へ戻るまでに要する凡その目安となる時間情報も含めて表示部１５に画面表示するようにしても良い。
【００３３】
（本実施形態の効果の説明）
以上に詳細に説明したように、本実施形態によれば、以下のような効果を奏することができる。つまり、本実施形態においては、携帯端末の利用者の操作に応じて、通信可能な圏内から通信不可能な圏外に遷移した圏外遷移位置、圏外遷移時刻を画面表示することができるので、当該利用者は、画面表示された圏内から圏外に移動した位置、時刻に基づいて、どの方向に、どの程度の距離まで、どの位の時間を掛けて移動すれば、以前に通過した通信可能な圏内の場所まで戻ることができるかということを判断することができる。
【００３４】
さらには、現在位置、現在時刻と圏外遷移位置、圏外遷移時刻との差分を、常時あるいはあらかじめ定めた周期ごとに、画面表示することも可能であり、以前に通過した通信可能な圏内の場所へ戻るまでの移動中の間も、どの方向に、どの程度の距離まで、どの位の時間を掛けて移動すれば辿り着くことができるのかという情報を、常時あるいは或る周期ごとに、利用者に通知することも可能となる。
【００３５】
したがって、ハイキングやスキーなどのアウトドアでのレジャーやスポーツ中に、悪天候などの要因によって遭難し、携帯している携帯端末も、通信不可能な圏外のために連絡することができず、また、無線機などの利用可能な他の通信手段も所持していない場合であっても、本実施形態の携帯端末を使用すれば、圏内から圏外へ遷移した地点の圏外遷移情報（圏外遷移位置、圏外遷移時刻）を知ることができ、どの方向にどの程度の距離を移動すれば、また、どの位の時間を掛ければ、以前に自分が居た通信可能な圏内の場所へ移動できるのかを判断することができる。この結果、闇雲に移動して彷徨って、体力を消耗することを防止することも可能であり、通信可能な圏内のエリアに移動して、遭難したことを警察や消防などの関係部門へ連絡することも可能となる。
【００３６】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）前記位置情報取得装置により取得した現在位置と前記データ記憶部に記憶した前記圏外遷移位置とに基づいて、現在位置から見た前記圏外遷移位置の方角および現在位置と前記圏外遷移位置との間の距離を算出して、前記圏外遷移位置とともにあるいは前記圏外遷移位置の代わりに前記表示部に表示する上記（１）の携帯端末。
（３）現在位置から見た前記圏外遷移位置の方角を矢印にて前記表示部に表示する上記（２）の携帯端末。
（４）前記時計部により取得した現在時刻と前記データ記憶部に記憶した前記圏外遷移時刻との差分の時間を求め、前記圏外遷移時刻とともにあるいは前記圏外遷移時刻の代わりに前記表示部に表示する上記（１）ないし（３）のいずれかの携帯端末。
（５）当該携帯端末が、携帯電話機、ＰＨＳ端末、携帯情報端末、携帯音楽プレーヤ、ノートＰＣのいずれかである上記（１）ないし（４）のいずれかの携帯端末。
（６）通信可能な圏内から通信不可能な圏外に遷移したことを検出して利用者に通知する携帯端末における圏外遷移情報通知方法であって、通信可能な圏内から通信不可能な圏外に遷移したことを検出する際に、圏外に遷移した位置を示す圏外遷移位置と圏外に遷移した時刻を示す圏外遷移時刻とを記憶し、しかる後、利用者から表示要求があった際に、記憶した前記圏外遷移位置および前記圏外遷移時刻を画面表示する圏外遷移情報通知方法。
（７）現在位置と記憶した前記圏外遷移位置とに基づいて、現在位置から見た前記圏外遷移位置の方角および現在位置と前記圏外遷移位置との間の距離を算出して、前記圏外遷移位置とともにあるいは前記圏外遷移位置の代わりに画面表示する上記（６）の圏外遷移情報通知方法。
（８）現在位置から見た前記圏外遷移位置の方角を矢印にて画面表示する上記（７）の圏外遷移情報通知方法。
（９）現在時刻と記憶した前記圏外遷移時刻との差分の時間を求め、前記圏外遷移時刻とともにあるいは前記圏外遷移時刻の代わりに画面表示する上記（６）ないし（８）のいずれかの圏外遷移情報通知方法。
（１０）上記（６）ないし（９）のいずれかの圏外遷移情報通知方法をコンピュータによって実行可能なプログラムとして実施する圏外遷移情報通知プログラム。
（１１）上記（１０）の圏外遷移情報通知プログラムをコンピュータによって読み取り可能な記録媒体に記録しているプログラム記録媒体。
【図面の簡単な説明】
【００３７】
【図１】本発明による携帯端末の構成の一例を示すブロック構成図である。
【図２】本発明による携帯端末のデータ記憶部に記憶される圏外遷移情報の一例を示すテーブルである。
【図３】本発明の携帯端末の動作の一例を説明するためのフローチャートである。
【図４】本発明の携帯端末を利用する状況のイメージを説明する適用イメージ図である。
【符号の説明】
【００３８】
１１      無線部
１２      時計部
１３      位置情報取得装置
１４      操作部
１５      表示部
１６      データ記憶部
１７      プログラム記憶部
１８      ＣＰＵ
２１      基地局
２２      基地局
２３      圏外エリア
１６１    圏外遷移情報
１６１ａ  圏外遷移位置
１６１ｂ  圏外遷移時刻
１７１    圏外遷移情報通知プログラム
【図１】
2009218777.tif 000003
【図２】
2009218777.tif 000004
【図３】
2009218777.tif 000005
【図４】
2009218777.tif 000006